(57)【特許請求の範囲】
【請求項１】
下面に取付用脚片を突設した水切傾斜板部と、この水切傾斜板部の内端から内方に向かって突設した結露水受溝部と、水切傾斜板部の内端から上方に向かって突設した採光板支持枠部とを備えている複数の分割窓枠材を組み合わせることによって形成された平面矩形枠状の採光用天窓において、突き合わせ状に対向した分割窓枠材間を連結金具によって一定の隙間を介して連結していると共に、この隙間を存して対向した上記分割窓枠材における水切傾斜板部と結露水受溝部との下面間に沿ってコーキング材支持板を取付け、このコーキング材支持板の上面と水切傾斜板部及び結露水受溝部の対向端部における下面との間の空間部、及び上記採光板支持枠部の対向端部間の空間部とに上記隙間を通じて充填されたコーキング材が詰められていることを特徴とする採光用天窓における分割窓枠材の連結構造。
【請求項２】
連結金具は、対向する分割窓枠材の採光板支持枠部の端部内に挿入されて該採光板支持枠部内の空間部を仕切り且つその一部を一定幅だけ採光板支持枠部の開口端から突出させた状態で採光板支持枠部に固定されている仕切板と、対向した採光板支持枠部の開口端から突出している上記仕切板の端面同士の突き合わせによって分割窓枠材の端部間を一定の隙間を介して対向させた状態で仕切板間を連結している連結板とからなり、対向した採光板支持枠部における仕切板間の空間部にコーキング材を充填していることを特徴とする請求項１に記載の採光用天窓における分割窓枠材の連結構造。
【請求項３】
コーキング材支持板は、内端縁に分割窓枠材の結露水受溝部の内側壁部外面に密接された突片部を有していると共に外端縁に分割窓枠材の水切傾斜板部における幕片部内面に密接している屈折片部を有してあり、さらに、コーキング材支持板の両端部上面とこの両端部上面に対向している両側分割窓枠材における上記水切傾斜板部と結露水受溝部の下面との間にそれぞれバックアップ材を詰めてあり、このバックアップ材の対向面間における空間部にコーキング材を充填していることを特徴とする請求項１に記載の採光用天窓における分割窓枠材の連結構造。
【請求項４】
コーキング材支持板は、内端縁に分割窓枠材の結露水受溝部の内側壁部外面に密接された突片部を有し且つ外端縁に分割窓枠材の水切傾斜板部における幕片部内面に密接している当接片部を有していると共に両端縁部に、対向する分割窓枠材における上記水切傾斜板部と結露水受溝部の下面にそれぞれ接する仕切壁部を一体に設けていてこの両側仕切壁部で囲まれた空間部にコーキング材を充填してあり、さらに、両側仕切壁部の外側面に、対向する分割窓枠材の水切傾斜板部の下面に突設している内外取付用脚片間に嵌入した差し込み突片を一体に設けていることを特徴とする請求項１に記載の採光用天窓における分割窓枠材の連結構造。
【請求項５】
水切傾斜板部間の隙間をカバー部材によって被覆していることを特徴とする請求項１に記載の採光用天窓における分割窓枠材の連結構造。
【請求項６】
下面に取付用脚片を突設した水切傾斜板部と、この水切傾斜板部の内端から内方に向かって突設した結露水受溝部と、水切傾斜板部の内端から上方向かって突設した採光板支持枠部とを備えている複数の分割窓枠材を組み合わせることによって形成された平面矩形枠状の採光用天窓において、対向端面が45度の角度でもって傾斜した傾斜端面に形成されている分割窓枠材同士を互いに直角に突き合わせてその対向傾斜端部間を一体に連結した連結構造であって、上記対向する分割窓枠材の傾斜端部における採光板支持枠部にそれぞれ内嵌可能な形状に形成された一半部と他半部とを直角状態に連設し且つ少なくとも上端が全面的に開口している平面矢羽根形状の筒状コーナジョイント金具を、その一半部を一方の分割窓枠材の採光板支持枠部の端部内に、他半部を他方の分割窓枠材の採光板支持枠部の端部内にそれぞれ挿嵌してビス止めしていると共にこのコーナジョイント金具内にコーキング材を充填してあり、さらに、長さが分割窓枠材の傾斜端面における上記結露水受溝部の内端から水切傾斜板部の外端までの長さに略等しく且つ上面に互いに直角に接合した分割窓枠材の結露水受溝部間と水切傾斜板部間との下面に沿う排水溝又はコーキング材充填溝を設けている一定幅の連結金具の一半部を一方の分割窓枠材の下面に、他半部を他方の分割窓枠材の下面にそれぞれ接した状態でビス止めしていることを特徴とする採光用天窓における分割窓枠材の連結構造。
【発明の詳細な説明】
【０００１】
【発明の属する技術分野】
本発明は建築物の屋根等に開設した開口部に分割窓枠材を平面矩形状に組み合わせることにより形成してなる採光用窓の開口枠において、突き合わせ状に対向させた分割窓枠材同士の連結構造に関するものである。
【０００２】
【従来の技術】
建築物の屋根等には採光を確保するための天窓が施工されているが、工場や商店、市場などにあっては、採光量を充分に確保する必要上、大型の天窓を施工する必要がある。このような大型天窓を施工するには、従来から天窓用開口部に取付ける平面矩形状の開口枠として、該開口枠を４分割した形状、即ち、両側端面が長さ方向に対して45度の角度でもって傾斜した傾斜端面に形成してなる分割窓枠材を使用し、隣接する分割取付枠材の傾斜端面を突き合わせ状態に接合、連結することによって矩形状の天窓取付枠に組み立てゝいるが、大型の天窓になればなる程、分割窓枠材の長さ、重量が増大して運搬その他の取扱いや施工が困難となり、また、分割窓枠材同士の連結は接合した傾斜端面間を溶接することによって行っているために、分割窓枠材間に段差やズレが生じて精度の良い組み立てができないという問題点がある。
【０００３】
このため、例えば、特開平８−３２６２３３号公報に記載されているように、開口枠を取扱いが容易となる長さ毎に複数分割すると共に、長さ方向に対向する分割窓枠材間を連結部材によって段差を生じさせることなく連結してなる開口枠の構造が提案されている。
【０００４】
上記連結部材は、対向する分割窓枠材端部における下面間に沿って配設した板材からなり、この板材の一半部上に一方の分割窓枠材の端部を、他半部上に他方の分割窓枠材の端部をパッキン材を介してそれぞれ載置してこれらの分割窓枠材の対向端部を小間隔を存して互いに面一上に連結させると共に、上記隙間から上記パッキン材で囲まれた両分割窓枠材の端部下面と連結部材の上面との間の空間部にコーキング材を充填して雨水が内部に浸入するのを防止する防水処理を施した構造としている。
【０００５】
【発明が解決しようとする課題】
しかしながら、このような連結構造によれば、分割窓枠材同士を順次、直状に連結して所定長さの大型天窓における長辺枠部を組み立てる場合に、隣接する分割窓枠材の対向端面間に生じる小間隔部の寸法をどの程度にすれば所定長さの長辺枠部を形成し得るのか判断することが困難であって施工に手間を要するという問題点があり、その上、隣接する分割窓枠材間の上記小間隔部から内部に充填しているコーキング材が露出した状態となっているため、該コーキング材が小鳥によって突き崩されて防水効果が著しく低減するという問題点があった。
【０００６】
また、分割窓枠材の水切傾斜板部の下面側に上記連結部材を配設してコーキング材を充填した構造としているが、水切傾斜板部の内端部から上方に突設している採光板支持枠部内にはコーキング材が充填されていないために、例え、対向する分割窓枠材の採光板支持枠部間に生じている上記小間隔部をカバーによって被覆しても、雨水が内部に浸入する虞れがあった。
【０００７】
本発明は上記のような問題点に鑑みてなされたもので、その目的とするところは、対向する分割窓枠材の開口端部間を簡単且つ精度よく連結することができると共に雨水の浸入を防止し得る採光用天窓における分割窓枠材の連結構造を提供するにある。
【０００８】
【課題を解決するための手段】
上記目的を達成するために、本発明の採光用天窓における分割窓枠材の連結構造は、請求項１に記載したように、下面に取付用脚片を突設した水切傾斜板部と、この水切傾斜板部の内端から内方に向かって突設した結露水受溝部と、水切傾斜板部の内端から上方向かって突設した採光板支持枠部とを備えている複数の分割窓枠材を組み合わせることによって形成された平面矩形枠状の採光用天窓において、突き合わせ状に対向した分割窓枠材間を連結金具によって一定の隙間を介して連結していると共に、この隙間を存して対向した上記分割窓枠材における水切傾斜板部と結露水受溝部との下面間に沿ってコーキング材支持板を取付け、このコーキング材支持板の上面と水切傾斜板部及び結露水受溝部の対向端部における下面との間の空間部、及び上記採光板支持枠部の対向端部間の空間部とに上記隙間を通じて充填されたコーキング材が詰められている構造としている。
【０００９】
このように構成した分割窓枠材の連結構造において、請求項２に係る発明は上記連結金具の構造であって、対向する分割窓枠材の採光板支持枠部の端部内に挿入されて該採光板支持枠部内の空間部を仕切り且つその一部を一定幅だけ採光板支持枠部の開口端から突出させた状態で採光板支持枠部に固定されている仕切板と、対向した採光板支持枠部の開口端から突出している上記仕切板の端面同士の突き合わせによって分割窓枠材の端部間を一定の隙間を介して対向させた状態で仕切板間を連結している連結板とからなり、対向した採光板支持枠部における仕切板間の空間部にコーキング材を充填していることを特徴とするものである。
【００１０】
また、請求項３に係る発明は、上記コーキング材支持板の構造であって、内端縁に分割窓枠材の結露水受溝部の内側壁部外面に密接した突片部を有していると共に外端縁に分割窓枠材の水切傾斜板部における幕片部内面に密接している屈折片部を有してあり、さらに、コーキング材支持板の両端部上面とこの両端部上面に対向している両側分割窓枠材における上記水切傾斜板部と結露水受溝部の下面との間にそれぞれバックアップ材を詰めてあり、このバックアップ材の対向面間における空間部にコーキング材を充填していることを特徴とする。
【００１１】
請求項４に係る発明は、上記コーキング材支持板の別な構造であって、内端縁に分割窓枠材の結露水受溝部の内側壁部外面にビス止めされた突片部を有し且つ外端縁に分割窓枠材の水切傾斜板部における幕片部内面に密接している当接片部を有していると共に両側端縁に、対向する分割窓枠材における上記水切傾斜板部と結露水受溝部の下面にそれぞれ接する仕切壁部を一体に設けていてこの両側仕切壁部で囲まれた空間部にコーキング材を充填してあり、さらに、両側仕切壁部の外側面に、対向する分割窓枠材の水切傾斜板部の下面に突設している内外取付用脚片間に嵌入した差し込み突片を一体に設けた構造を有している。
【００１２】
また、請求項５に係る発明は、請求項１に記載の発明において、水切傾斜板部間の隙間をカバー部材によって被覆していることを特徴としている。
【００１３】
請求項６に係る発明は、上記下面に取付用脚片を突設した水切傾斜板部と、この水切傾斜板部の内端から内方に向かって突設した結露水受溝部と、水切傾斜板部の内端から上方向かって突設した採光板支持枠部とを備えている複数の分割窓枠材を組み合わせることによって形成された平面矩形枠状の採光用天窓において、対向端面が45度の角度でもって傾斜した傾斜端面に形成されている分割窓枠材同士を互いに直角に突き合わせてその対向傾斜端部間を一体に連結した連結構造であって、上記対向する傾斜端部における採光板支持枠部の端部間内にコーキング材を充填していると共に、長さが分割窓枠材の傾斜端面における上記結露水受溝部の内端から水切傾斜板部の外端までの長さに略等しく且つ上面に互いに直角に接合した分割窓枠材の結露水受溝部間と水切傾斜板部間との下面に沿う排水溝又はコーキング材充填溝を設けている一定幅の連結金具の一半部を一方の分割窓枠材の下面に、他半部を他方の分割窓枠材の下面にそれぞれ接した状態でビス止めしている構造としている。
【００１４】
このように構成した請求項６に記載の分割取付枠材の連結構造において、上記対向する分割窓枠材の傾斜端部における採光板支持枠部にそれぞれ内嵌可能な形状に形成された一半部と他半部とを直角状態に連設し且つ少なくとも上端が全面的に開口している平面矢羽根形状の筒状コーナジョイント金具を、その上記一半部を一方の分割窓枠材の採光板支持枠部の端部内に、他半部を他方の分割窓枠材の採光板支持枠部の端部内にそれぞれ挿嵌してビス止めしていると共にこのコーナジョイント金具内にコーキング材を充填していることを特徴とする。
【００１５】
【作用】
隣接する分割窓枠材を互いに直状となるように突き合わせ状に対向させてその端部間を連結金具によって一定の隙間を存した状態で連結するので、開口枠の一辺を形成する複数の分割窓枠材の長さの和に隣接する分割窓枠材間の上記隙間の寸法を足した長さが、予め、形成すべき開口枠の一辺の長さに等しく設定しておくことによって、上記隙間の幅を調節することなく連結金具で順次、一定の隙間を保持した状態で連結することにより、精度良く且つ簡単に所定長さに組み立てることができる。
【００１６】
さらに、上記隙間を存して対向した分割窓枠材における対向端部内の空間部間にコーキング材が充填されていると共に、対向する分割窓枠材における水切傾斜板部と結露水受溝部との下面と、これらの下面に沿って取付けたコーキング材支持板との間の空間部にもコーキング材が充填されているから、これらのコーキング材によって上記隣接する分割窓枠材の隙間が密閉されて雨水が内部に浸入するのが確実に防止される。また、上記隙間を被覆しているカバー部材によってコーキング材が隠蔽され、鳥によるコーキング材の欠損等を防止して長期に亘り防水機能を発揮すると共に外観的にも優れた天窓の開口枠を構成することができる。
【００１７】
上記連結金具としては、対向する分割窓枠材の採光板支持枠部の端部内に挿入して該採光板支持枠部内の空間部を仕切り且つその一部を一定幅だけ採光板支持枠部の開口端から突出させた状態で採光板支持枠部に固定されている仕切板と、仕切板間を連結する連結板とから構成しておくことによって、対向した分割窓枠材の採光板支持枠部から突出している仕切板の端面同士を突き合わせることによって採光板支持枠部の開口端間に一定の隙間を正確に設けることができると共に上下方向及び内外方向のずれを生じさせることなくこの隙間を保持した状態で連結板によって連結することができる。
【００１８】
一方、開口枠のコーナ部を形成するために、対向端面が45度の角度でもって傾斜した傾斜端面に形成されている分割窓枠材同士を互いに直角に突き合わせてその対向傾斜端部間を一体に連結する際に、突き合わせた対向傾斜端部における採光板支持枠部の端部間内にコーキング材を充填しているから、開口枠のコーナ部においても、上記同様にこのコーキング材によって雨水が内部に浸入するのを確実に防止し得る。
【００１９】
上記コーキング材の充填は、まず、上端が全面的に開口している平面矢羽根形状の筒状コーナジョント金具の一半部を一方の分割窓枠材の傾斜端部に内嵌させると共にこの一半部に対して直角に連設している他半部を他方の分割窓枠材の傾斜端部に内嵌させることによって、対向する分割窓枠材を上下方向、前後方向にずれることなく正確に直角に組み立てることができると共にこのコーナジョイント金具内にコーキング材を充填することによって対向する分割窓枠材の傾斜端部内のみに一定量のコーキング材を正確に且つ簡単に充填することができる。
【００２０】
さらに、長さが分割窓枠材の傾斜端面における上記結露水受溝部の内端から水切傾斜板部の外端までの長さに略等しく且つ上面に互いに直角に接合した分割窓枠材の結露水受溝部間と水切傾斜板部間との下面に沿う排水溝を設けている一定幅の連結金具の一半部を一方の分割窓枠材の下面に、他半部を他方の分割窓枠材の下面にそれぞれ接した状態でビス止めしているから、分割窓枠材の対向傾斜端面同士を連結金具により互いに直角に連らなった状態で正確に連結、固定することができ、又、分割窓枠材の対向傾斜端面間から枠材内に浸入した雨水を、連結金具の上面に設けている排水溝を通じて外部に排出することができる。なお、この排水溝に代えてコーキング材充填溝を設けておいてもよい。
【００２１】
【発明の実施の形態】
本発明の実施の形態を図面について説明すると、図１〜図３において、Ａは大型の採光用天窓の開口枠であって、アルミニウム成形材からなる複数本の分割窓枠材1A、1B、1Cを連結することによって平面長方形状に組み立てられている。即ち、この開口枠Ａにおける長辺側枠部は、両端面が長さ方向に対して直角な面に形成されている長尺の分割窓枠材1Aと、この分割窓枠材1Aの長さ方向の両端側に配設されて、一端面が長さ方向に対して直角な面に形成され且つ他端面が長さ方向に対して45度の角度でもって傾斜した傾斜端面に形成されている２本の短尺の分割窓枠材1Bとからなり、開口枠Ａの短辺側枠部は、両端面が長さ方向に対して45度の角度でもって傾斜した傾斜端面に形成されている分割窓枠材1Cとから構成されている。
【００２２】
これらの分割窓枠材1A〜1Cの断面形状は同大、同形であって図３、図４に示すように、内端から外端に向かって緩やかに下方に傾斜した一定幅の水切傾斜板部２と、この水切傾斜板部２よりも小幅で該水切傾斜板部２の内端から内方に向かって水平状に突設している結露水受溝部３と、水切傾斜板部２と結露水受溝部３との連接部、即ち、水切傾斜板部２の内端から上方に向かって突設した一定高さの採光板支持枠部４とを備えた形状を有している。
【００２３】
上記採光板支持枠部４は、水切傾斜板部２の内端から上方に突設した垂直壁板片4aと、この垂直壁板片4aの上端から外方（水切傾斜板部２の内端部上方）に向かって突設している水平壁板片4bと、この水平壁板片4bから上方に向かって突設している採光ドーム固定金具取付用垂直面板片4cと、この垂直面板片4cから内方に向かって上記垂直壁板片4aの上方に達する位置まで突設している採光ドーム受止用水平面板片4dと、この水平面板片4dの内端から下方に向かって段状に形成している採光板受止用段部4eとからなり、採光板受止用段部4eの内端から下方に向かって垂直に突設している壁板部4fを上記結露水受溝部３の幅方向の中央部上方に位置させた形状としている。
【００２４】
さらに、上記水切傾斜板部２の下面における内端部と中央部とに、垂直片部5a、6aと水平片部5b、6bとからなる断面Ｌ字状の内外脚片５、６を下方に向かって突設している。なお、これらの内外脚片５、６の上記水平片部5b、6bは互いに向き合わせている。また、上記水切傾斜板部２の外端縁に下方に向かって幕片2aを屈折形成している。
【００２５】
このように形成している分割取付枠材1A〜1Cにおいて、長尺の分割窓枠材1Aと短尺の分割窓枠材1Bとの対向端面を連結して開口枠Ａの長辺枠部を組み立てるための連結金具は、図４、図５に示すように、上記分割窓枠材1A、1Bにおける採光板支持枠部４、４の対向する開口端部にその一部を該開口端から突出させた状態で内嵌、固定される仕切板７、７と、前記開口端から突出する仕切板７の位置決め用突片部7c、7cを連結する連結板12とからなる。
【００２６】
上記仕切板７は、図６、図７に示すように、上端面が採光板支持枠部４の採光ドーム受止用水平面板片4dの内面（下面）から採光板受止用段部4eと壁板部4fとの内面に亘って接し、且つ下端面が水平壁板片4bの内面（上面）から垂直壁板片4aの内面と結露水受溝部３の一部の上面に亘って接する仕切板部7aと、この仕切り板部7aの内外端縁からそれぞれドーム固定用の垂直面板片4cと垂直壁板部4fとの対向面に接して採光板支持枠部４の開口端に向かって外方に直角に屈折形成している位置決め用突片部7b、7cとからなり、一方の位置決め用突片部7cを一定幅だけ採光板支持枠部４の開口端から突出7c' させている。
【００２７】
さらに、上記位置決め用突片部7b、7cとこれらの位置決め用突片部7b、7cを内接させた採光板支持枠部４における上記垂直面板片4cと壁板部4fとの端部とに、それぞれビス取付孔9a、9bを設けてこれらのビス取付孔9a、9b間をビス10（図５に示す）によって固着することにより、仕切板７の位置決め用突片部7cを一定幅だけ採光板支持枠部４の開口端から上記のように突出7c' させている。
【００２８】
このように形成した仕切板７、７を分割窓枠材1A、1Bの対向する採光板支持枠部４の端部内に上述したように挿嵌してビス10により固定したのち、両分割窓枠材1A、1Bを突き合わせて採光板支持枠部４から突出している上記位置決め用突片部7cの突出部7c' の突出端面を接合させることにより、両分割窓枠材1A、1Bの開口端間に一定幅、即ち、位置決め用突片部7cの突出部7c’の２倍の突出幅に等しい隙間11を形成し、この状態にして上記連結板12を接合した突出部7c' 、7c' に取り付けることにより、分割窓枠材1A、1B間を上記一定の隙間11を保持した状態で連結している。
【００２９】
前記連結板12は互いに接合した仕切板７、７における結露水受溝部３上に露出した仕切板部7a、7aの下部と位置決め用突片部7c、7cの下部との外面を被覆する断面コ字状をなしており、互いにその突出部7c' 、7c' を突き合わせている位置決め用突片部7c、7cの下部外面に当接させる板部12a の両端部に仕切板部7a、7aの下部外面に係止させる板片部12b、12b を外方に向かって突設してなり、板部12a を両面テープ13によって位置決め用突片部7c、7cに接着させることにより、両側の板片部12b 、12b で仕切板部7a、7aを抱持するように被覆して連結するものである。なお、連結板12を平板状となし、この平板状連結板と仕切板７、７の位置決め用突片部7c、7cとをネジ、ビス等で螺合、締結してもよい。
【００３０】
開口枠Ａの長辺枠部を形成する上記一本の長尺の分割窓枠材1Aとこの分割窓枠材1Aの両端に上記隙間11、11を介して連結する短尺の分割窓枠材1B、1Bとの長さの和は、開口枠Ａの長辺枠部の長さよりも短く形成されてあり、上記両端側の隙間11、11をこれらの分割窓枠材1A、1B、1Bの長さに加えることによって長辺枠部の長さとなるように設定している。そして、上記隙間11は位置決め用突片部7cの突出部7c' の突出幅の２倍となるように予め、該位置決め用突片部7cを採光板支持枠部４の開口端部内に固定しておくので、対向する分割窓枠材1A、1Bの位置決め用突片部7c、7cを突き合わせるだけで、簡単且つ精度良く、開口枠Ａの長辺枠部を組み立てることができる。
【００３１】
さらに、上記隙間11を介して対向した分割窓枠材1A、1Bにおける水切傾斜板部２と結露水受溝部３との対向端部の下面に沿ってコーキング材支持板13を取付けている。このコーキング材支持板13は図４に示すように、上面を水切傾斜板部２の下面から下方に突設している上記内外脚片５、６の水平板部5b、6bの下面に上面を当接させてこれらの内外脚片５、６にビス10により固着している水平板部13a と、この水平板部13a から水切傾斜板部２の下面に沿って幕片2aまで延設している外側板部13b とこの外側板部13b の先端から下方に屈折して幕片2aの内面に密接させている垂直な屈折片部13c と、上記水平板部13a の内端から上方に屈折して内側脚片６の垂直片部6aの内面下部に密接している垂直板部13d と、この垂直板部13d から内方に向かって水平に延長し、結露水受溝部３の下面に対して小間隔を存して平行に設けている内側水平板部13e と、この内側水平板部13e の内端から上方に向かって突設している突片部13f とからなり、この突片部13f の上部を結露水受溝部３の壁片部3aの内面に密接させた状態でビス10により固定している。また、分割窓枠材1A、1Bの隣接する採光板支持枠部４、４の垂直壁板片4aと水平壁板片4bとの端部外面間には、断面逆Ｌ字状の支持カバー部材８を当てがい、ビス10を垂直壁板片4a、4aに螺締してあり、垂直壁板片4a、4aと水平壁板片4b、4b間の隙間を塞いである。
【００３２】
従って、コーキング材支持板13により、隣接する分割窓枠材1A、1Bの水切傾斜板部２と結露水受溝部３との対向端面間の隙間の下方が閉止されて、コーキング材支持板13の上面と、隙間11を介して対向した水切傾斜板部２、２の対向端部及び結露水受溝部３の対向端部の下面との間に空間部が形成されてあり、この空間部にコーキング材14を充填している。
【００３３】
このコーキング材14は対向する水切傾斜板部２、２間と結露水受溝部３、３間の隙間11を通じて空間部内に充填されるものであるが、その際、水切傾斜板部２、２と結露水受溝部３、３との対向端部内におけるコーキング材支持板13の両側端部上面とこの上面に対向する水切傾斜板部２及び結露水受溝部３の下面間にバックアップ材15、15（図４に示す）を詰めておき、このバックアップ材15、15によってコーキング材が水切傾斜板部２及び結露水受溝部３の下面の奥に入り込みすぎるのを防止した状態でこれらのバックアップ材15、15間の空間部にコーキング材14を充填しているものである。
【００３４】
さらに、上記隙間11を介して連結している分割窓枠材1A、1Bにおける採光板支持枠部４、４の対向端部間内、即ち、採光板支持枠部４、４に挿嵌している上記仕切板７、７の仕切板部7a、7a間の空間部内に隙間11を通じてコーキング材14'を充填している。なお、コーキング材14' を充填する前に、採光板支持枠部４、４の垂直面板片4c、4c間の隙間11を該垂直面板片4c、4c間に亘って閉止板16をビス止めしておくことによってコーキング材14' の外部への漏れを防止する。
【００３５】
このように、長尺の分割窓枠材1Aと短尺1Bとの対向端面間が、一定の隙間11を存した状態で仕切板７と連結板12、及びコーキング材支持板13によって直状に連結され、且つ、対向する水切傾斜板部２、２及び結露水受溝部３、３の下面端部とコーキング材支持板13間の空間部と、対向する採光板支持枠部４、４の端部内間の空間部とにコーキング材14、14' を充填した構造としているが、この構造において、採光板支持枠部４の頂面である水平面板部4d上には採光用ドームＢの周縁部が載置されて、採光板支持枠部４の垂直面板部4cに取付けられた断面逆Ｌ字状の固定金具Ｄにより外面側から固定されてあり、また、採光板支持枠部４における板状の採光板Ｃの周縁部を支持する段部4eと結露水受溝部３とは室内側に設けられているため、対向する採光板支持枠部４、４の上記垂直面板部4c、4c間と水平面板部4d、4d間の隙間11と段部4e、4e間の隙間、及び結露水受溝部３、３間の隙間11はカバー部材によって被覆する必要はない。
【００３６】
隙間11が外部に露出するのは、分割窓枠材1A、1Bにおける水切傾斜板部２の内端から上方に突出している採光板支持枠部４の垂直壁板片4aと水平壁板片4bとの部分、及び、水切傾斜板部２の部分であり、従って、対向する採光板支持枠部４、４の垂直壁板片4a、4a間の隙間11と水平壁板片4b、4b間の隙間11とを上述したように支持カバー部材８によって被覆していると共に、水切傾斜板部２、２間の隙間11は図４、図８に示すように、細幅長方形状のカバー部材17によって被覆し、該カバー部材17をビス止めによって固着した構造としている。
【００３７】
図９は分割窓枠材1A、1Bの対向端部間を連結する別な連結構造を示すもので、上記コーキング材支持板13に分割窓枠材1A、1Bの開口端部同士を直状に接続する接続部を具備した構造を有するコーキング材支持板23と、分割窓枠材1A、1Bの対向する採光板支持枠部４、４間内に介入した隙間閉止板24とから構成している。
【００３８】
コーキング材支持板23は図10、図11に示すように、水切傾斜板部２の内外脚片５、６間の下面に沿わせる水平板部23a と、この水平板部23a から水切傾斜板部２の外端幕片2aまで延設している外側板部23b と、水平板部23a の内端から上方に屈折して内側脚片６に沿わせる垂直板部23d と、この垂直板部23d から内方に向かって水平に延長し、結露水受溝部３の下面に対して小間隔を存して平行に設けている内側水平板部23e と、この内側水平板部23e の内端から上方に向かって突設している突片部23f とを有し、上記外側板部23b の外端から突片部23f の内端に亘ってその両側端縁に一定高さの仕切壁部23g 、23g を上方に向かって突設していると共に水平板部23a の両側仕切壁部23g 、23g から内外脚片５、６間に挿嵌させる差し込み突片23h 、23h をコーキング材支持板23の長さ方向に直交する水平方向に突設してなるものである。
【００３９】
なお、外側板部23b の内端部（先端部）下面には幕片2aの内面に密接させる垂直な屈折片部23c を下方に向かって突設している。また、両側仕切壁部23g 、23g からコーキング材支持板23の中央に向かって一定の幅間隔を存した部分に分割窓枠材1A、1Bの対向端面を受止する一対の位置決め片23i 、23i を突設してあり、これらの位置決め片23i 、23i 間の幅寸法によって上記隙間11の幅を設定している。
【００４０】
上記隙間閉止板24は、図12、図13に示すように、結露水受溝部３の内面に沿って断面コ字状に形成された溝片部24a と、この溝片部24a の外端から外方に突設して採光板支持枠部４における水平壁板片4bから垂直面板片4cを介して水平面板片4dの内面に接する断面コ状の閉止板部24b とからなり、この隙間閉止板24の一半部を対向する分割窓枠材1A、1Bの一方の採光板支持枠部４内に、他半部を他方の採光板支持枠部４内に挿嵌して採光板支持枠部４、４間に形成される上記隙間11を内面側から閉止しているものである。なお、対向する採光板支持枠部４、４の端部内にコーキング材を充填する場合には、この隙間閉止板24の両側端部上とこの両側端部に対向する採光板支持枠部４、４の内面との間にバックアップ材を詰め込んでおき、これらのバックアップ材間の空間部にコーキング材を充填すればよい。
【００４１】
また、上記コーキング材支持板23によって分割窓枠材1A、1Bの開口端部同士を直状に連結するには、一方の差し込み突片23h を対向する分割窓枠材1Aの内外脚片５、６間に挿嵌してこのコーキング材支持板23一半部上に分割窓枠材1Aの端部を重ね合わせ、同様にして他方の差し込み突片23h を対向する分割窓枠材1Bの内外脚片５、６間に挿嵌してこのコーキング材支持板23他半部上に分割窓枠材1Bの端部を重ね合わせる。この際、分割窓枠材1A、1Bの対向端面を位置決め片23i 、23i にそれぞれ当接させることによって一定の隙間11を設ける。この状態にしてコーキング材支持板23の適所、例えば、上記実施の形態と同様にその内端突片部23f を分割窓枠材1A、1Bの結露水受溝部３の壁面部3aにビス止めすることによって上記一定幅の隙間11を設けた状態で分割窓枠材1A、1B間を連結、固定する。
【００４２】
コーキング材は図示していないが、対向する水切傾斜板部２、２間と結露水受溝部３、３間の隙間11を通じて、水切傾斜板部２、２と結露水受溝部３、３との対向端部の下面とコーキング材支持板23の上面との間の空間部に充填される。この際、コーキング材支持板23の両側仕切壁部23g 、23g が上記実施の形態におけるバックアップ材15、15の役目を行い、コーキング材はこの仕切壁部23g 、23g間の上記空間部に充填されるものである。なお、分割窓枠材1A、1Bにおける水切傾斜板部２、２間の隙間11は、上記実施の形態と同様に細幅長方形状のカバー部材17によって被覆し、該カバー部材17をビス止めによって固着した構造としている。
【００４３】
次に、開口枠Ａのコーナ部、即ち、開口枠Ａの短辺側を形成する分割窓枠材1Cと短尺の上記分割窓枠材1Bとにおける傾斜端面間の接合、連結構造について説明する。この接合、連結に使用する金具として、図14に示すように、分割窓枠材1B、1Cの対向端部における下面間を連結する連結金具30と、採光板支持枠部４、４の対向端部間を連結するコーナジョイント金具40とを使用する。
【００４４】
上記連結金具30は、一定幅と厚さを有する金属材または硬質合成樹脂材からなり、その長さは分割窓枠材1B、1Cの傾斜端面における上記水切傾斜板部２の外端から結露水受溝部３の内端までの長さに略等しく、且つ上面両側部に対向する水切傾斜板部２、２の端部下面から結露水受溝部３、３の端部下面に全長に亘って密接するパッキン取付溝31、31を形成していると共にこれらのパッキン取付溝31、31間に排水溝又はコーキング材充填溝32を設けてあり、さらに、この連結金具30の両側端面には対向する分割窓枠材1B、1Cの内外脚片５、６に挿嵌する内外一対の水平突片33、34をそれぞれ設けていると共に、連結金具の内外外端面に、分割窓枠材1B、1Cの対向する幕片2a、2aと結露水受溝部３の内端壁面に接する平面直角Ｖ字状の内外当接片35、36を設けている。なお、上記内外水平突片33、34と内側の当接片36の両側部とにはビス取付孔37、38が設けられている。
【００４５】
一方、上記コーナジョイント金具40は、対向する分割窓枠材1B、1Cの互いに直角に接合される採光板支持枠部４、４における垂直面板片4c、4cの内面に接する互いに直角に連接した外側傾斜壁部41、41と、採光板支持枠部４、４における段部4eの垂直な内面に接する互いに直角に連接した内側傾斜壁部42、42と、これらの内外傾斜壁部41、42の端部間に連接した互いに平行な仕切壁部43、43とからなる平面矢羽根形状の筒体からなり、このコーナジョイント金具40の高さは採光板支持枠部４の水平壁板片4bと水平面板片4dの対向面間の寸法に等しく形成されていてその上下端面を水平壁板片4bと水平面板片4dの対向面に接するように構成している。
【００４６】
このように構成した上記連結金具30とコーナジョイント金具40とによって分割窓枠材1B、1Cの傾斜端面同士を直角に突き合わせ状に接合、連結させるには、連結金具30の一半部側の内外水平突片33、34を一方の分割窓枠材1Bの水切傾斜板部２の下面に突設している内外脚片５、６に挿嵌することによって水切傾斜板部２と結露水受溝部３の端部下面をこの連結金具30の一半部上に載置させた状態にし、内外水平突片33、34を内外脚片５、６にビス止め10する。なお、上記内外脚片５、６を予め傾斜端面から連結金具30の１／２幅に相当する部分を切除しておくことによって、連結金具30の一半部上に水切傾斜板部２と結露水受溝部３との端部を載置させるようにしている。
【００４７】
さらに、上記分割窓枠材1Bにおける採光板支持枠部４の端部内にコーナジョイント金具40の一半部を挿嵌し、ビス10を採光板支持枠部４の垂直面板片4cとこの垂直面板片4cの内面に接したコーナジョイント金具40の外側傾斜壁部41に螺合させることによって固定する。
【００４８】
次いで、上記同様に、連結金具30の他半部側の内外水平突片33、34を他方の分割窓枠材1Cの水切傾斜板部２の下面に突設している内外脚片５、６に挿嵌することによって水切傾斜板部２と結露水受溝部３の端部下面をこの連結金具30の他半部上に載置させた状態にし、内外水平突片33、34を内外脚片５、６にビス止め10する。なお、この場合においても上記内外脚片５、６を予め傾斜端面から連結金具30の１／２幅に相当する部分を切除しておくことによって、連結金具30の他半部上に水切傾斜板部２と結露水受溝部３との端部を載置させるようにしている。
【００４９】
さらに、上記分割窓枠材1Cにおける採光板支持枠部４の端部内にコーナジョイント金具40の他半部を挿嵌し、ビス10を採光板支持枠部４の垂直面板片4cとこの垂直面板片4cの内面に接したコーナジョイント金具40の外側傾斜壁部41に螺合させることによって固定する。
【００５０】
また、分割窓枠材1B、1Cにおける水切傾斜板部２、２の接合端部間上には図15、図16に示すように、この水切傾斜板部２の長さに略等しい長さを有する長方形状のカバー部材18が重ね合わせ状に配設されていてこのカバー部材18によって水切傾斜板部２、２の接合端面間の隙間が閉止されてあり、さらに、このカバー部材18の外端部に互いに接合した水切傾斜板部２、２の幕片2a、2aの対向端部外面を被覆した外側被覆片18a が下方に向かって屈折、形成していると共に、内端部に互いに接合した採光板支持枠部４、４の垂直壁板片4a、4aの対向端部外面を被覆した内側被覆片18b を上方に向かって突設している。そして、このカバー部材18は、その内外被覆片18a 、18b を幕片2a、2aと垂直壁板片4a、4aとにビス止めすることによって固定されている。
【００５１】
このように、上記連結金具30とコーナジョイント金具40とによって分割窓枠材1B、1Cを連結すると、分割窓枠材1B、1Cはその対向傾斜端面を互いに突き合わせ状に接した状態で直角に接続する。分割窓枠材1B、1Cにおける頂面を形成している水平面板部4dの端部にはその上面から下面に貫通したコーキング材充填孔19が設けられてあり、このコーキング材充填孔19から図16に示すように、コーナジョイント金具40内にコーキング材14' を充填して分割窓枠材1B、1Cにおける採光板支持枠部４、４の接合端面間の隙間から採光板支持枠部４内に雨水が浸入するのを防止している。
【００５２】
さらに、連結金具30の上面中央部に設けている溝32を排水溝として使用する場合には、カバー部材18の存在にもかかわらず、不測に分割窓枠材1B、1Cにおける水切傾斜板部２、２の接合端面間の隙間から浸入した雨水がこの排水溝に受け入れられ、排水溝の外端部から外部に連通する短筒部39を通じて外部に排出されるものであるが、この溝32内にコーキング材を充填しておいてもよく、この場合には、コーキング材によって上記水切傾斜板部２、２の接合端面間の隙間から雨水が内部に浸入するのを防止することができる。なお、以上の実施の形態においては、開口枠Ａを形成する分割窓枠材1A、1B、1C等をさらに数分割しておいてもよく、また、開口枠Ａは平面長方形状に形成しているが、平面正方形状に形成したものであってもよい。
【００５３】
【発明の効果】
以上のように本発明の請求項１に係る採光用天窓における分割窓枠材の連結構造によれば、隣接する分割窓枠材を互いに直状となるように突き合わせ状に対向させてその分割窓枠材間を連結金具によって一定の隙間を存した状態で連結した構造であるから、この隙間を介して複数本の分割窓枠材を順次、直状に連結することによって採光用天窓の開口枠における一辺の長さに等しい長さの窓枠材を精度良く且つ簡単に組み立てることができる。
【００５４】
さらに、上記隙間を存して対向した分割窓枠材における対向端部内の空間部間にコーキング材を充填していると共に、対向する分割窓枠材における水切傾斜板部と結露水受溝部との下面と、これらの下面に沿って取付けたコーキング材支持板との間の空間部にもコーキング材を充填しているので、これらのコーキング材によって上記隣接する分割窓枠材の隙間を内部から密閉することができて雨水が枠内に浸入するのを確実に防止することができる。さらに、請求項５に係る発明によれば、上記隙間をカバー部材によって被覆しているので、隙間から露出するコーキング材を隠蔽することができ、従って、鳥によるコーキング材の欠損等を防止して長期に亘り防水機能を発揮すると共に外観的にも優れた天窓の開口枠を構成することができる。
【００５５】
上記採光用天窓における分割窓枠材の連結構造において、請求項２に係る発明によれば、連結金具は、対向する分割窓枠材の採光板支持枠部の端部内に挿入されて該採光板支持枠部内の空間部を仕切り且つその一部を一定幅だけ採光板支持枠部の開口端から突出させた状態で採光板支持枠部に固定されている仕切板と、仕切板間を連結する連結板とから構成しているので、対向した分割窓枠材の採光板支持枠部から突出している仕切板の端面同士を突き合わせることによって分割窓枠材の端部間に一定の隙間を正確に設けることができると共に上下方向及び内外方向のずれを生じさせることなくこの隙間を保持した状態で連結板によって連結することができ、しかも、コーキング材を充填する空間部が仕切板によって仕切られているから、該空間部に所定量のコーキング材を簡単に充填することができる。
【００５６】
また、上記コーキング材支持板は、請求項３に記載したように、内端縁に分割窓枠材の結露水受溝部の内側壁部外面に密接させた突片部を有していると共に外端縁に分割窓枠材の水切傾斜板部における幕片部内面に密接している屈折片部を有してあり、さらに、コーキング材支持板の両端部上面とこの両端部上面に対向している両側分割窓枠材における上記水切傾斜板部と結露水受溝部の下面との間にそれぞれバックアップ材を詰めていると共にこのバックアップ材の対向面間における空間部にコーキング材を充填しているので、対向する分割窓枠材の下面に沿って簡単に配設、固定し得るのは勿論、このコーキング材支持板と上記仕切板及び連結板とによって分割窓枠材同士を直状に正確に連結、一体化させることができ、さらに、バックアップ材によってコーキング材を外部に漏出させることなく簡単に充填することができる。
【００５７】
一方、請求項４に記載のコーキング材支持板によれば、内端縁に分割窓枠材の結露水受溝部の内側壁部外面に密接させた突片部を有し且つ外端縁に分割窓枠材の水切傾斜板部における幕片部内面に密接している当接片部を有していると共に両側端縁に、対向する分割窓枠材における上記水切傾斜板部と結露水受溝部の下面にそれぞれ接する仕切壁部を一体に設けていてこの両側仕切壁部で囲まれた空間部にコーキング材を充填しているので、バックアップ材を詰めることなく両側の仕切壁部によってコーキング材が外部に漏出するのを防止しながらコーキング材を正確に充填することができると共に、この両側仕切壁部の外側面に、対向する分割窓枠材の水切傾斜板部の下面に突設している内外取付用脚片間に嵌入した差し込み突片を一体に設けているので、分割窓枠材同士を簡単且つ正確に直状に連結することができ、開口枠の組立作業が一層能率よく行えるものである。
【００５８】
請求項６に係る発明は、開口枠のコーナ部を形成する分割窓枠材同士の連結構造であって、分割窓枠材の対向する傾斜端部における採光板支持枠部の端部間内にコーキング材を充填していると共に、長さが分割窓枠材の傾斜端面における上記結露水受溝部の内端から水切傾斜板部の外端までの長さに略等しく且つ上面に互いに直角に接合した分割窓枠材の結露水受溝部間と水切傾斜板部間との下面に沿う排水溝又はコーキング材充填溝を設けている一定幅の連結金具の一半部を一方の分割窓枠材の下面に、他半部を他方の分割窓枠材の下面にそれぞれ接した状態でビス止めしているので、突き合わせた対向傾斜端部における採光板支持枠部の端部間内にコーキング材を充填しているから、開口枠のコーナ部においても、上記同様にこのコーキング材によって雨水が内部に浸入するのを確実に防止し得ると共に、連結金具によって分割窓枠材同士を互いに直角に接合した状態で正確に連結させることができる。
【００５９】
さらに、上記請求項６に記載の開口枠におけるコーナ部の連結構造において、対向する分割窓枠材の傾斜端部における採光板支持枠部にそれぞれ内嵌可能な形状に形成された一半部と他半部とを直角状態に連設し且つ少なくとも上端が全面的に開口している平面矢羽根形状の筒状コーナジョイント金具を、その上記一半部を一方の分割窓枠材の採光板支持枠部の端部内に、他半部を他方の分割窓枠材の採光板支持枠部の端部内にそれぞれ挿嵌してビス止めしていると共にこのコーナジョイント金具内にコーキング材を充填しているので、このコーナジョイント金具によって対向する分割窓枠材を上下方向、前後方向にずれることなく正確に直角に組み立てることができると共にこのコーナジョイント金具内にコーキング材を充填することによって対向する分割窓枠材の傾斜端部内のみに一定量のコーキング材を正確に且つ簡単に充填することができる。
【図面の簡単な説明】
【図１】採光用天窓の開口枠の簡略平面図、
【図２】採光用天窓の簡略縦断側面図、
【図３】その一部の拡大縦断側面図、
【図４】分割窓枠材同士を連結している状態の一部切欠縦断側面図、
【図５】分割窓枠材同士の連結部分の一部分解斜視図、
【図６】仕切板を挿嵌する前の分割窓枠材の端部の斜視図、
【図７】仕切板を挿嵌した状態の分割窓枠材の端部の斜視図、
【図８】分割窓枠材の隙間上をカバー部材によって被覆する状態の斜視図、
【図９】別な連結構造を示す一部の簡略斜視図、
【図１０】その連結用採光板支持枠部の斜視図、
【図１１】採光板支持枠部を裏面側から見た斜視図、
【図１２】分割窓枠材の端部に採光板支持枠部の一半部を差し込んだ状態の斜視図、
【図１３】分割窓枠材同士を連結した状態の斜視図、
【図１４】分割窓枠材の傾斜端部同士を連結する場合の分割斜視図、
【図１５】連結した状態の簡略平面図、
【図１６】その縦断側面図。
【符号の説明】
Ａ  開口枠
1A〜1C  分割窓枠材
２  水切傾斜板部
３  結露水受溝部
４  採光板支持枠部
５、６  内外脚片
７  仕切板
８  支持カバー部材
10  ビス
11  隙間
12  連結板
13  コーキング材支持板
14、14'   コーキング材
17  カバー部材
30  連結金具
40  コーナジョイント金具
【図１】
0003920647.tif 000002
【図２】
0003920647.tif 000003
【図３】
0003920647.tif 000004
【図４】
0003920647.tif 000005
【図５】
0003920647.tif 000006
【図６】
0003920647.tif 000007
【図７】
0003920647.tif 000008
【図８】
0003920647.tif 000009
【図９】
0003920647.tif 000010
【図１０】
0003920647.tif 000011
【図１１】
0003920647.tif 000012
【図１２】
0003920647.tif 000013
【図１３】
0003920647.tif 000014
【図１４】
0003920647.tif 000015
【図１５】
0003920647.tif 000016
【図１６】
0003920647.tif 000017